(57)【要約】本発明は、書換可能型の光ディスクにビデオ情報を記録する方法に関する。本発明は、物理セクタに記録する間にエラーに遭遇したかをリアルタイムで判定するステップ、記録の間にエラーに遭遇したセクタからなるリストを含むエラーセクタ情報を生成することに関する。エラーセクタ情報は、ディスク、好ましくは標準型プレーヤとの再生の互換性に対してＶＲＭＩユーザデータに記録される。再生の間、エラーセクタは、読取からスキップされる。有利なことに、バッファセルは、シームレスな再生が可能であるように、エラーセクタで記録される情報について形成される。有利なことに、ディスクをフォーマットするとき、エラーセクタ情報は削除されない。有利なことに、エラーセクタ情報は、ディスクの品質に関してユーザに通知するために使用される。
2010514086.tif 000002
【特許請求の範囲】
【請求項１】
書換え可能型の光ディスクにビデオ情報を記録する方法であって、
前記ビデオ情報は、前記光ディスクの記録可能な領域に光学的に検出可能なマークとして記録され、
前記記録可能な領域は、個々にアドレス可能な物理セクタに分割され、
前記物理セクタは、論理的な記録スペースにおける論理セクタにマッピングされ、
前記論理記録スペースは、ある記録フォーマットに従って構成され、
当該方法は、
前記ビデオ信号をリアルタイムで受信及び記録するステップと、
物理セクタを記録する間にエラーに遭遇したかを判定するステップと、
記録の間にエラーに遭遇した物理セクタに対応する論理セクタからなるリストを含むエラーセクタ情報を生成するステップと、
前記エラーセクタ情報を前記光ディスクに記録するステップと、
を含むことを特徴とする方法。
【請求項２】
前記光ディスクの前記論理的な記録スペースは、前記ビデオ情報を記録し、対応する管理情報を記録するビデオゾーンを有し、
前記ビデオゾーンにおける情報は、ビデオ記録フォーマットに従って記録され、
当該方法は、一時的な情報を記録するか、又は、ビデオレコーダマネージャユーザデータのような機能を改善する任意の情報を記録するために予約される予め決定された領域に記録されるエラーセクタ情報により特徴付けされる、
請求項１記載の方法。
【請求項３】
前記ビデオ情報は、隣接して記録されたセルの系列を含むビデオオブジェクトとして記録され、
当該方法は、記録の間にエラーに遭遇した物理セクタに記録されるビデオ情報を含む更なるセルを生成するステップを更に含む、
請求項１又は２記載の方法。
【請求項４】
前記更なるセルは、前記管理情報に含まれる再生系列により参照されないバッファセルである、
請求項３記載の方法。
【請求項５】
前記エラーセクタ情報は、前記光ディスクの全体のセクタ数に対する、記録の間にエラーにエラーに遭遇した物理セクタに対応する論理セクタのパーセンテージのような、記録の間にエラーに遭遇した物理セクタに対応する論理セクタに関する統計情報を更に含む、
請求項２又は３記載の方法。
【請求項６】
前記受信されたビデオ情報を記録する前に擬似アーカイブ処理を実行するステップを更に含み、
前記擬似アーカイブステップは、
前記光ディスクにダミー情報を記録するステップと、
ダミー情報で物理セクタを記録する間にエラーに遭遇したかを判定するステップと、
記録の間にエラーに遭遇した物理セクタに対応する論理セクタからなるリストを含むエラーセクタ情報を生成するステップと、
を含む請求項１記載の方法。
【請求項７】
前記擬似アーカイブステップと、前記ビデオ情報をリアルタイムで記録するように前記ビデオ情報をリアルタイムで記録するステップとを繰り返すステップを更に含む、
請求項６記載の方法。
【請求項８】
前記擬似アーカイブステップは、高速の記録速度で実行される、
請求項６又は７記載の方法。
【請求項９】
前記ビデオ情報は、請求項１乃至７の何れか記載の方法に従って光ディスクに記録されるビデオ情報を再生する方法であって、
エラーがエラーセクタ情報で参照される論理セクタ又は論理セクタのグループが、再生において、論理セクタに記録されている情報が現在再生されている論理セクタに近接しているかを判定するステップと、
記録の間にエラーに遭遇したセクタ又はセクタのグループに続くセクタに記録される情報に再生をジャンプするかを判定するステップと、
を含むことを特徴とする方法。
【請求項１０】
請求項１乃至７の何れか記載の方法に従って記録されたビデオ情報を含む書換え可能型の光ディスクをフォーマットする方法であって、
前記エラーセクタ情報を読み取り、前記エラーセクタ情報をテンポラリバッファに記憶するステップと、
前記光ディスクをフォーマットするステップと、
前記エラーセクタ情報を記録するステップと、
を含むことを特徴とする方法。
【請求項１１】
書換え可能型の光ディスクにビデオ情報を記録する光記録装置であって、
前記ビデオ情報を受信する入力手段と、
前記光ディスクの記録可能な領域に光学的に検出可能なマークとして記録されるビデオ情報を記録する記録手段と、前記記録領域は、個々にアドレス可能な物理セクタに分割され、前記物理セクタは、対応する論理的な記録スペースにおける論理セクタにマッピングされ、
前記論理的な記録スペースにおける情報がある記録フォーマットに従って記録されるように前記記録手段を制御する制御ユニットであって、物理セクタを記録する間にエラーに遭遇したかを判定する制御ユニットと、
記録の間にエラーに遭遇した物理セクタに対応する論理セクタからなるリストを含むエラーセクタ情報を生成する手段とを有し、
前記制御手段は、前記記録手段を制御して、前記光ディスクに前記エラーセクタ情報を記録する、
ことを特徴とする光記録装置。
【請求項１２】
前記光ディスクの論理的な記録スペースは、前記ビデオ情報を記録し、対応する管理情報を記録するビデオゾーンを含み、
前記制御手段は、前記記録手段を制御して、一時的な情報を記録するため、又は、ビデオレコーダマネージャ  ユーザデータのような機能を改善する任意の情報を記録するために予約された予め決定された領域に記録されるエラーセクタ情報を記録する、
請求項１１記載の光記録装置。
【請求項１３】
前記制御手段は、前記記録手段を制御して、隣接して記録されるセルの系列を含むビデオオブジェクトとして前記ビデオ情報を記録し、
前記制御手段は、記録の間にエラーに遭遇した物理セクタに記録されるビデオ情報を含む更なるセルを発生する、
請求項１１又は１２記載の光記録装置。
【請求項１４】
前記更なるセルは、前記管理情報に含まれる再生系列により参照されないバッファセルである、
請求項１３記載の光記録装置。
【請求項１５】
前記制御手段は、前記光ディスク上の全体のセクタ数に対する、記録の間にエラーに遭遇した物理セクタに対応する論理セクタのパーセンテージのような、記録の間にエラーに遭遇した物理セクタに対応する論理セクタに関する統計情報を含む前記エラーセクタ情報を生成する、
請求項１２又は１３記載の光記録装置。
【請求項１６】
前記制御手段は、読取手段を制御して前記エラーセクタ情報を読み取り、前記記録手段を制御して前記書換え可能型の光ディスクをフォーマットして、フォーマットの後に前記エラーセクタ情報を記録する、
請求項１２又は１３記載の光記録装置。
【請求項１７】
前記制御手段は、前記受信されたビデオ情報を記録する前に、擬似アーカイブステップを実行するように当該光記録装置を制御し、
前記擬似アーカイブステップは、
前記光ディスクにダミー情報を記録するステップと、
ダミー情報で物理セクタを記録する間にエラーに遭遇したかを判定するステップと、
記録の間にエラーに遭遇した物理セクタに対応する論理セクタからなるリストを含むエラーセクタ情報を生成するステップと、
を含む請求項１３記載の光記録装置。
【請求項１８】
請求項１乃至７の何れか記載の方法に従って光ディスクに記録されているビデオ情報を再生する光再生装置であって、
エラーがエラーセクタ情報で参照される論理セクタ又は論理セクタのグループが、再生において、論理セクタに記録されている情報が現在再生されている論理セクタに近接しているかを判定する制御ユニットと、
記録の間にエラーに遭遇したセクタ又はセクタのグループに続くセクタに記録される情報に再生をジャンプするかを判定する手段と、
を有することを特徴とする光再生装置。
【請求項１９】
適切なプロセッサで実行されたとき、記録及び／又は再生装置に、請求項１乃至７の何れか記載の記録方法の全てのステップを実行させ、及び／又は請求項９記載の再生方法の全てのステップを実行させる手段を含むコンピュータソフトウェアプログラム。
【発明の詳細な説明】
【技術分野】
【０００１】
本発明は、書換え可能なタイプの光ディスクにビデオ情報を記録する方法に関する。  
また、本発明は、前記光ディスクをフォーマットする方法、前記光ディスクからのビデオ情報の再生の方法に関する。  
また、本発明は、係る記録、フォーマット及び再生方法を実現する書換え可能なタイプの光ディスクへのビデオ情報の記録装置、又は該書換え可能なタイプの光ディスクからのビデオ情報の再生装置に関する。  
本発明は、特に、光ディスク記録装置に関する。
【背景技術】
【０００２】
データ及びオーディオ−ビデオコンテンツの両者の記録及び記憶のためのＤＶＤ（Digital  Versatile  Disc）ファミリに属する異なるタイプの光ディスクの使用が広まってきている。ＤＶＤ−ＲＡＭ，ＤＶＤ−ＲＷ及びＤＶＤ＋ＲＷを含む幾つかのタイプの書換え可能なメディアは、係る用途向けに利用可能である。公知の問題は、やがて、スクラッチ、指紋又は書換えプロセスにおけるメディアへのダメージのために記録品質が低下することである。
【０００３】
係る問題を軽減する１つの公知のソリューションは、欠陥の管理を使用することであり、予め定義されたメディアのスペアエリアは、欠陥の置き換えのために予約される。欠陥の管理は、欠陥テーブルに保持されている欠陥の物理セクタの物理アドレスから構成され、前記欠陥の物理セクタの対応する論理アドレスは、使用可能な物理セクタにマッピングされる。しかし、欠陥の管理が使用されるとき、置き換えのセクタから情報を読み取ることは光ヘッドの動き及びシーク動作を含むので、データ伝送レートは低速になる場合がある。
【０００４】
結果的に、再生の間の画像のフリーズを回避するために最小のデータ伝送レートが保証される必要があるので、光学的な欠陥の管理は、ビデオコンテンツの記録の場合に使用されない。一般に、ビデオコンテンツをリアルタイムで記録するとき、記録の間に生成されるこの警告／エラーコードを扱うこと、及び、連続的な記録（再生の間にオーディオ−ビデオの一時的な中断となるエラーを無視する）又は警告／エラーコードを生成するセクタにコンテンツを書き込むリトライ、又は前記セクタをスキップすることで後続するセクタにコンテンツを書き込むリトライのような正しいアクションを行うことがアプリケーションに任される。
【０００５】
米国特許出願第2004/0208097号は、欠陥の管理を実現する方法を記載しており、エラーが検出され、ビデオデータを再生しないとき、リニアリプレースメントが適用され、一方、ビデオデータを再生するとき、欠陥管理領域における個別のリストでエラーセクタの物理的なＩＤが維持され、係るセクタは置き換えられない。欠陥の管理はＤＶＤ−ＲＡＭディスクで常に利用可能であり、ＤＶＤ−ＲＷ及びＤＶＤ＋ＲＷディスクでは任意である。上述された方法による問題は、欠陥の管理はＤＶＤ−ＲＡＭに特化しており、欠陥の管理が使用されることを必要とする点である。
【特許文献１】米国特許出願第2004/0208097号
【発明の概要】
【発明が解決しようとする課題】
【０００６】
本発明の目的は、上述された問題の少なくとも１つを取り除く、ビデオ情報を記録するとき、欠陥を扱う先の問題に対する解決策を提供することである。
【課題を解決するための手段】
【０００７】
本発明の目的は、請求項１記載の書換え可能なタイプの光ディスクにビデオ情報を記録する方法により達成される。したがって、記録の間のエラーに遭遇する物理セクタに対応する論理セクタのリストを含むエラーセクタ情報が生成され、前記情報は光ディスクに記録される。結果的に、記録の間にエラーに遭遇される物理セクタに関する情報は、欠陥の管理を使用する必要なしに、論理レベルでアプリケーションにとって利用可能にされる。さらに、前記方法は、光ディスクのタイプとは独立に実現することができる。
【０００８】
光ディスクの論理的な記録スペースは、前記ビデオ情報を記録し、対応する管理情報を記録するビデオゾーンを通常しており、ビデオゾーンにおける情報は、ビデオ記録フォーマットに従って記録される。本発明の有利な実施の形態では、エラーセクタ情報は、一時的な情報を記録するか、又はビデオレコーダマネージャユーザデータ（Video  Recorder  Manager  User  Data）のような機能を改善する任意の情報を記録するために予約される予め決定された領域に記録される。光ディスクを記録するとき、記録フォーマットにより直接に義務付けられていない任意の情報を記録するときの公知の問題は、結果として得られる光ディスクが、係る更なる情報を認識しない他の装置の再生及び／又は記録に適さななくなる場合があることである。一時的な情報を記録するか、又はビデオレコーダマネージャユーザデータのような機能を改善する任意の情報を記録するための特定のディスク領域にリカバリ情報を記録することは、前記リカバリが存在すること、及びリカバリ情報がそれらにアクセス可能ではない場合があることを他の記録装置が期待するという利点がある。したがって、本発明に従ってビデオ情報の回復を実行することが不可能な装置である旧式の装置は、回復情報を無視することでディスクを使用することができ、記録された光ディスクは、使用される記録フォーマットと互換性が維持されたままである。
【０００９】
通常、ビデオ情報は、隣接して記録されたセルの系列を含むビデオオブジェクトとして記録される。本発明の有利な実施の形態では、記録の間のエラーに遭遇される物理セクタで記録されるビデオ情報を含む更なるセルが生成される。セルは、プレイリストにおいて独立に参照することができる最小単位である。結果的に、これにより、欠陥を含む部分が再生からスキップされ、更新されたプレイリストを生成することができ、これによりロバスト性が改善されるという利点が提供される。実施の形態では、更なるセルは、管理情報に含まれる再生系列により参照されないバッファセルである。したがって、係るセルはプレイバックされず、プレイリストの更新は、もはや必要ではない。
【００１０】
本発明の実施の形態では、エラーセクタ情報は、ディスクの全体のセクタ数からの前記セクタのパーセンテージのような、記録の間のエラーに遭遇される物理セクタに対応する論理セクタに関する統計的な情報を更に含む。これは、ディスクのエラーセクタ数のパーセンテージが計算され、ユーザはディスクの状態に関して通知されるという利点を有する。さらに、ユーザは、彼／彼女が記録を継続することを望むか、及び記録の前にユーザの同意を要するかが問い合わせされる。
【００１１】
また、本出願は、ビデオ情報の再生の方法に関するものであり、本方法は、
エラーがエラーセクタ情報で参照される論理セクタ又は論理セクタのグループが、再生において、論理セクタに記録されている情報が現在再生されている論理セクタに近接しているかを判定するステップ、記録の間のエラーに遭遇されるセクタ又はセクタのグループに続くセクタに記録される情報に再生をジャンプすることを決定するステップを含む。近接して、誤ったセクタが存在することを装置が気付いているとき、改善された再生を補償するためにスキップを開始することができる。
【００１２】
また、本出願は、フォーマットする方法に関するものであり、本方法は、エラーセクタ情報を読み取るステップ、前記エラーセクタ情報をテンポラリバッファに記憶するステップ、光ディスクをフォーマットするステップ、エラーセクタ情報を記録するステップを含む。これにより、欠陥のセクタに関する情報が保持されるので、フォーマット動作の後に光ディスクの改善された再生／記録が維持されることが保証される。
【００１３】
また、本発明は、本発明に係る適切な方法に従ってビデオ情報を記録及び／又は再生することが可能にされる、書換え可能なタイプの光ディスクにビデオ情報を記録する光記録装置に関する。
【００１４】
また、本発明は、本発明に係る適切な方法に従って、適切なプロセッサで実行されたとき、光記録装置がビデオ情報を記録及び／又は再生するのを可能にするコンピュータソフトウェアプログラムに関する。
【００１５】
本発明のこれらの態様及び他の態様は、以下に記載される実施の形態を参照して明らかとなるであろう。
【図面の簡単な説明】
【００１６】
本発明の特徴及び利点は、以下の図面を参照して更に説明される。
【図１】書換え可能なタイプの光ディスクの概念図である。
【図２】本発明が実施される光ドライブの概念図である。
【図３】ビデオ情報を記録するために適した書換え可能なタイプの光ディスクのデータ情報構造を示す図である。
【図４】書換え可能なタイプの光ディスクにＤＶＤ−Ｖビデオゾーンの可能な構造を示す図である。
【図５】本発明の幾つかの実施の形態に係る、光ディスクにビデオ情報を記録する方法のフローチャートである。
【図６】本発明の実施の形態に係る、光ディスクのビデオ情報の再生の方法のフローチャートである。
【図７】本発明の実施の形態に係る、光ディスクをフォーマットする方法のフローチャートである。
【発明を実施するための最良の形態】
【００１７】
図１は、トラック１２及びセントラルホール１０を有する光ディスク１１を概念的に示す。トラック１２は、情報を表現する一連の記録された（記録されるべき）マークの位置であり、情報レイヤで実質的に平行なトラックをなす１つの螺旋パターンに従って配列される。光ディスクは、レコーダブルタイプの１以上の情報レイヤを有する。書換え可能な光ディスクの公知の例は、ＣＤ−ＲＷ又はＤＶＤ＋／−ＲＷ、ＤＶＤ−ＲＡＭ又はＢＤ−ＲＥである。たとえば、ＤＶＤ＋ＲＷ又はＤＶＤ−ＲＷ光ディスクの物理構造及びアドレス情報に関する更なる詳細は、文献ＥＣＭＡ−３３７及びＥＣＭＡ−３３８のそれぞれで発見することができる。たとえば相変化材料における結晶又は非結晶質のマークといった、トラックに沿った光学的に検出可能なマークを記録することで、情報は情報レイヤで表現される。光ディスクのトラック１２は、ブランクの光ディスクの製造の間に提供される前もって型押しされたトラック構造により示される。トラック構造は、たとえばリード／ライトヘッドがスキャニングの間にトラックに追従するのを可能にする案内溝により構成される。
【００１８】
レコーダブルディスクのトラック構造は、平均的なセンターラインから溝の周期的な半径方向の変位の形式である、ウォブルと当該技術分野において知られる、物理パラメータのバリエーションを含む。周期的なウォブルは、情報のユニットの位置を示す物理アドレスのような、更なる情報が記憶されるように更に変調される。係る情報は、係る情報のブロックの開始を示す特定の同期マークを更に含む。位置情報は、予め決定された数の変調されたウォブルを含むグループでエンコードされる。最小の独立にアドレス可能なユニットは、物理セクタとして知られる。
【００１９】
図２は、図１を参照して例示された光ディスク１１に情報を書き込む記録装置を概念的に示す。  
記録装置には、光ディスク上のトラックをスキャニングする記録手段が設けられ、この記録手段は、光ディスク１１を回転する駆動ユニット（DRV）１６、ヘッド（HEAD）１８、トラック上の半径方向においてヘッド１８を粗く位置決めするポジショニングユニット（POS）２１、及び制御ユニット（CNTRL）１７を有する。ヘッド１８は、光ディスク１１のトラック１２上の放射線スポット１９に放射線ビーム２０を焦点合わせする光学素子を通して誘導される放射線ビーム２０を発生する公知のタイプの光学系を有する。放射線ビーム２０は、たとえばレーザダイオードといった放射線源により発生される。ヘッドは、放射線ビーム２０の光軸に沿って放射線ビームの焦点を移動させるフォーカシングアクチュエータと、トラックの中央に関して半径方向において放射線スポット１９を微妙に位置決めするトラッキングアクチュエータ（何れも図示せず）とを更に有する。トラッキングアクチュエータは、光学素子を半径方向に移動させるコイルを有するか、又は代替的に、反射素子の角度を変えるために構成される場合がある。
【００２０】
情報を読み取るため、情報レイヤにより反射された放射線は、読み取り信号及び、トラッキングエラーと前記トラッキング及びフォーカスアクチュエータを制御するためにフォーカスエラー信号とのような更なる検出器信号を発生するため、たとえばヘッド１８における四象限ダイオードといった通常のタイプの検出器により検出される。
【００２１】
情報を記録するため、放射線ビーム２０は、記録レイヤで光学的に検出可能なマークを形成するために制御される。このため、記録装置は、入力情報を処理してヘッド１８を駆動するための書き込み信号を発生する書き込み処理手段を有し、この書き込み処理手段は、入力ユニット（INPT）２３、並びに、フォーマッタ（FRMT）２４及び変調器（MOD）２５を有するデータ処理手段を有する。
【００２２】
制御ユニット１７は、光ディスク１１への情報の書き込み、及び光ディスク１１からの情報の読み取りを制御し、ユーザから又はホストコンピュータからのコマンドを受信するために構成される。このため、制御ユニット１７は、たとえばマイクロプロセッサ、プログラムメモリ及びコントロールゲートといった制御回路を有し、これにより、図５、図６及び図７を参照して以下に記載される手順を実行する適切な手段を構成する。また、制御ユニット１７は、ロジック回路におけるステートマシンとして実現される。制御ユニット１７は、たとえばシステムバスといった制御ライン２２を介して、前記入力ユニット２３、フォーマッタ２４及び変調器２５に接続され、駆動ユニット１６及びポジショニングユニット２１に接続される。
【００２３】
入力ユニット２３は、ユーザ情報を受信して前処理する。たとえば、オーディオ−ビデオ情報を処理したとき、入力ユニット２３は、アナログオーディオ及び／又はビデオ、又はデジタル圧縮されていないオーディオ／ビデオのような入力信号を圧縮する圧縮手段を有する。適切な圧縮手段は、オーディオについてはWO98/16014-A1に記載されており、ビデオについてはMPEG2規格（ISO-IEC13818）に記載される。入力信号は、代替的に既に符号化される場合がある。入力ユニット２３の出力は、制御データを加え、たとえば誤り訂正符号（ECC）及び／又はインタリーブを加えることによるといった、記録フォーマットに従ってデータをフォーマットするフォーマッタ２４に送出される。コンピュータアプリケーションについて、情報のユニットは、フォーマッタ２４に直接にインタフェースされる。フォーマッタ２４の出力からのフォーマットされたデータは、変調ユニット２５に送出され、この変調ユニットは、たとえば、ヘッド２２を駆動する変調信号を発生するチャネルコーダを含む。さらに、変調ユニット２５は、変調信号に同期パターンを含む同期手段を有する。同期ユニット２５の入力に提供されるフォーマットされたユニットは、アドレス情報を含み、制御ユニット１７の制御下で光ディスクの対応するアドレス可能な位置に書き込まれる。制御ユニット１７は、記録された情報ボリュームの位置を示す位置データを記録及び読取するために構成される。
【００２４】
記録動作の間、情報を表すマークは、光ディスク上に形成される。マークは、たとえば、染料、合金又は相変化材料のような物質に記録したときに得られる、それらの周囲とは異なる反射係数を持つ領域の形態、又は光磁気材料に記録したときに得られる、それらの周囲とは異なる磁化の方向をもつ領域の形態といった、任意の光学的に読み取り可能な形態である。光ディスクへの記録、使用可能なフォーマット化、誤り訂正及びチャネル符号化ルールのための情報の書き込み及び読み取りは、たとえばＣＤシステム（ＩＥＣ９０８）から当該技術分野で公知である。
【００２５】
読取のため、復調器（DEM）２６、デフォーマッタ（DEFR）２７、及び情報を出力するための出力ユニット２を有する読取処理ユニットにより処理される。復調器２６、デフォーマッタ２７及び出力ユニット２８の機能は、コントローラ１７により制御される。したがって、情報を読み取る読取手段は、駆動ユニット１６、ヘッド１８、ポジショニングユニット２１及び読取処理ユニットを含む。
【００２６】
光ディスク１１は、標準的な再生装置で再生可能なように、記録フォーマットに従ってユーザ情報を保持することが意図される。記録フォーマットは、情報が記憶、符号化及びトラック１２により提供される記録領域に論理的にマッピングされるやり方を含み、例を通して、図３を参照して記載される。レコーダブルエリアは、通常、リードインエリア（LI）３１、情報を記録するデータゾーン（DZ）及びリードアウトエリア（LO）３２に小分割される。リードインエリア（LI）３１は、通常、基本のディスクマネージメント情報、及びデータゾーン（DZ）にどのように物理的にアクセス、すなわち、どのように、レコーダブルエリアを論理的な記録スペースにマッピングすべきか、及び論理的なセクタを物理セクタにマッピングすべきか、に関する情報を含む。たとえば、前記基本のディスクマネージメント情報は、ＣＤシステムにおけるコンテンツのテーブル又はＤＶＤシステムにおけるフォーマッティングディスクコントロールブロック（FDCB）に対応する。
【００２７】
データゾーン（DZ）に記録されるユーザ情報は、たとえば予め定義されたファイル及びディレクトリの構造を含む論理的なフォーマットに従って更に構成される。さらに、論理的なレベルで、データゾーンにおけるユーザデータは、ECMA-119として利用可能なＣＤシステムで使用されるＩＳＯ９６６０、又はECMA-167として利用可能なＤＶＤシステムで使用されるＵＤＦのようなファイル管理情報を含むファイルシステムに従って構成される。係るファイル管理情報は、通常はリードイン領域（LI）において又はリードイン領域の直後に、光ディスク１１上の予め定義された位置にマッピングされる。データゾーン（DZ）に記録されるユーザ情報は、たとえば予め定義されたファイル及びディレクトリの構造を有する記録フォーマットに従って更に構成される。
【００２８】
通常、ビデオ情報が光ディスクに記録される場合、これは、他のデータとは個別のボリュームで記録される。たとえば、図３は、ビデオ情報及びユーザデータをＤＶＤ＋ＲＷディスクに記録する場合で使用される構成を更に例示する。データゾーン（DZ）は、１つのボリューム空間として編成され、ビデオセクション及びデータセクションに更に分割される。ビデオセクションは、ビデオファイルシステム３３、ビデオレコーダマネージャ（VRM）スクラッチ領域３４、ビデオレコーダマネージャ情報（VRMI）３５、ビデオレコーダマネージャユーザデータ（VRM_UD）３６、ＤＶＤビデオゾーン（DVD-VZ）３７、及び、ビデオレコーダマネージャ情報３８のバックアップコピー（VRMI-BK）３８を有する。任意のデータセクションは、ビデオセクションに続き、ファイルシステム領域３９（FS）及びデータファイル４０（DF）を含む。図３におけるハッシュ化された領域は、データゾーン（DZ）の先に記載されたエレメントが隣接して記録される必要がないことを示す。ＶＲＭスクラッチ領域３４は、一時的にデータを記憶するためにレコーダにより使用される領域である。ビデオレコーダマネージャ情報（VRMI）３５は、ディスクに関するＤＶＤ−Ｖｉｄｅｏメニューを生成したレコーダのタイプを識別するための情報を含む。ビデオレコーダマネージャ情報（VRMI）３５は、データセクションがディスクに存在するかに関する情報をさらに含む。ビデオレコーダマネージャユーザデータ（VRM_UD）３６は、１以上のファイルに記憶される任意のデータ構造であり、機能を追加してレコーダに関する性能を改善するために記録される場合がある。
【００２９】
ビデオファイルシステム３３は、通常、ルートディレクトリにおいてVIDEO_RMディレクトリ及びVIDEO_TSディレクトリを少なくとも有するビデオボリュームを有する。VIDEO_RMディレクトリは、通常、以下のファイルを有する。VIDEO_RM.DAT（VRMスクラッチ情報を含む）、VIDEO_RM.IFO（VRMI情報を含む）及びVIDEO_RM.BUP（VRMIバックアップ情報を含む）。VIDEO_RMディレクトリは、他のVRMユーザデータファイルを有する場合がある。
【００３０】
VIDEO_TSディレクトリは、通常、以下のファイルを有する。VIDEO_TS.IFO（ビデオマネージャ一般情報（VMGI）を含む）、VIDEO_TS.BUP（VMGIのバックアップを有する）及びそれぞれビデオタイトルセット（VTS）のファイル系列。系列は、それぞれのVTSを有する。VTS_01_0.IFO（タイトル＃１のビデオタイトルセット情報（VTSI））、VTS_01_0.IVOB（VTS＃１のVTSTT_VOBS）及びVTS_01_0.BUP（タイトル＃１のVTSIのバックアップを含む）。
【００３１】
図４は、書換え可能なタイプの光ディスクのＤＶＤ−Ｖｉｄｅｏゾーン（DVD-VZ）４７の可能な構造を概念的に示す。記録の順序において、DVD-VZは、ビデオマネージャ（VMG）、それぞれのビデオタイトルセット（VTS）のビデオタイトルセット情報（VTSI）、及び、ビデオ情報（TITLE1,  TITLE2）を含む１以上のビデオタイトルセット（VTS）、及び、それぞれのビデオタイトルセット（VTS）のビデオタイトルセット情報（VTSI）のバックアップ（VTSI#1_BK、VTSI#2_BK）を含む。ビデオマネージャ（VMG）は、ビデオマネージャ情報（VMGI）、任意に、ビデオオブジェクトセットVMGM_VOBS及びVMGIのバックアップコピーを有する。ビデオタイトルセット情報（VTSI）は、ビデオタイトルの再生及びトリックプレイを可能にするマネージメント情報を有する。DVD+RWビデオ記録フォーマットに対応するビデオタイトルセット情報（VTSI）の構造の適切な例は、WO01/01415に開示されており、引用により本明細書に挿入される。一般に、ディスク上の全てのタイトルのビデオオブジェクトは、属するＶＴＳに係らず、１つのVTS_TiTleビデオオブジェクトセット（VTTS_VOBS）に配置される。
【００３２】
ビデオ情報は、ＭＰＥＧ−２のようなフォーマットで符号化され、ビデオタイトルセット（VTS）内の記録を形成するセルの系列として光ディスクに記憶される。１つのVTS_TiTleビデオオブジェクトセット（VTTS_VOBS）は、幾つかのビデオオブジェクト（VOB#1,VOB#2，．．．VOB＃i）を有し、それぞれのビデオオブジェクトは、隣接して記録されるセルの系列（セル＃１,セル＃２．．．セル＃ｉ）を有する。ビデオタイトルセット情報（VTSI）は、１以上のプログラムチェインを更に有する。プログラムチェインは、タイトル又はメニューの一部を提供する論理的なユニットである。プログラムチェインは、表示の順序及び本質が記述され、１以上のセルが提供されるＰＧＣ情報（PGCI）から構成される。
【００３３】
図５は、本発明の実施の形態に係る、光ディスクにビデオ情報を記録する方法のフローチャートである。
【００３４】
初期化ステップ５１（CHK/INIT  ES.DAT）では、ディスクが記録装置に導入される。ディスクが書換え可能なディスクである場合、本装置は、ディスクが新しいか否か及びエラーセクタ情報がディスクで利用可能であるかがチェックされる。フォーマットの間のデアイシング（de-icing）ステップにおいてディスクが新しい（フォーマットされていない）場合、エラーセクタ情報に対応する空のファイルが作成される。好ましくは、係るファイルは、ＶＲＭユーザデータ領域に配置される。以下では、前記ファイルは、“VIDEO_ES.DAT”と呼ばれる。“VIDEO_ES.DAT”の存在は、たとえば不適切なディスクの取り扱い、スクラッチ、多数の使用による劣化のため、ディスクが“エラーセクタ”を含むという示唆である。エラーセクタ情報の主要な内容は、記録の間にエラーに遭遇した物理セクタに対応する論理セクタからなるリストである。好ましくは、VIDEO_ES.DATは、不注意に削除されないように、読取専用のファイルとして設定される。
【００３５】
本方法の代替的な実施の形態では、“VIDEO_ES.DAT”ファイルは、記録の間にエラーに遭遇した物理セクタに対応する論理セクタからなるリストとは別として、エラーセクタの総数、全体の利用可能なセクタのような統計的な情報を含む。結果的に、この実施の形態では、ディスク上のエラーセクタ数の割合が計算され、ユーザは彼／彼女が記録を継続することを望むかが問い合わせされることが可能である。“VIDEO_ES.DAT”情報を使用して、記録装置は、ディスクの実際の「サイズ／ストレージ」容量に関してユーザに通知することができる。記録は、進行するためのユーザの確認を受信した後に開始される。
【００３６】
記録ステップ４２（RECORD）では、記録プロセスが開始され、ビデオ情報は光ディスクに記録される。ステップ５３（ERROR?）では、リアルタイム記録の間に記録手段により「警告／エラーコード」がリターンされたかがチェックされる。「警告／エラーコード」がリターンされていない場合、記録が継続される。係る「警告／エラーコード」が受信された場合、ステップ５４（STORE）で、エラーセクタの一覧の情報が更新される。代替的な実施の形態では、係る情報は、ディスクに直接記録されないが、ステップ５５（UPDATE  ES.DAT）で、周期的に（たとえば５秒毎）又は記録が終了された後に、メモリバッファに保持され、記録されるのみである。
【００３７】
本発明に係る方法は、光記録装置で実現され、本装置は、VIDEO_ES.DATに情報をロードすることで誤ったセクタを推測的に気付き、前の記録を上書きする間にそれらのセクタをスキップすることができる。したがって、これらは、光記録装置の記録の信頼性を改善する。結果的に、これは、欠陥を含む部分が再生からスキップされ、したがってロバスト性が改正され、更新されたプレイリストが生成されるという利点を提供する。更なる実施の形態では、更なるセルがバッファセルとなるように選択される。バッファセルは、ビデオタイトルセット情報（VTSI）に含まれるプログラムチェインにより参照されないセルである。したがって、係るバッファセルは、プレイバックではなく、プレイリストの更新は、もはや必要ではない。
【００３８】
図６は、本発明の実施の形態に係る、光ディスクからのビデオ情報の再生の方法のフローチャートである。再生が開始される前に、ステップ６１（LOAD  ES.DAT）では、エラーセクタ情報がメモリにロードされる。ステップ６２（PLAYBACK）では、ビデオ情報の再生が行われる。ステップ６３（TST）では、エラーがエラーセクタ情報において参照された論理セクタ又は論理セクタのグループが、再生において、そこに記録されている情報が現在再生されている論理セクタに近接しているかが検査される。近接している場合、ステップ６４（SKIP）において、欠陥のセクタに続く論理セクタへのスキップ（ジャンプ）が再生の間に生成される。光記録装置は誤りのあるセクタに推測的に気付いているので、再生の間のそれらのセクタをスキップすることができ、結果的に、「リトライ」におけるプロセッサのＭＩＰＳのペナルティが存在しない。
【００３９】
図７は、本発明の実施の形態に係る光ディスクをフォーマットする方法のフローチャートである。光ディスクをフォーマットするプロセスは知られており、幾つかのオプションは、通常、利用可能である。正規のフォーマットとして当該技術分野で知られるプロセスは、ＣＤ又はＤＶＤのような光ディスク向けに使用される物理的なフォーマットの従来のやり方である。正規のフォーマットプロセスの後、ディスクは、物理レベルで十分にフォーマットされる。フォーマットプロセスは、リードイン領域（LI）の記録、データゾーン（DZ）の書き込み、リードアウト領域（LO）の書き込み、任意に、欠陥の管理が使用されない場合、データゾーンの検証及び欠陥の管理の初期化を含む。第二のタイプのフォーマットプロセスは、バックグランドフォーマットとして従来技術で知られており、レコーダにおけるディスクの使用の間にバックグランドで実行されるフォーマットプロセスである。バックグランドフォーマットプロセスが終了された後、ディスクは、物理レベルで完全に物理的にフォーマットされる。ユーザデータは、バックグランドフォーマットプロセスの間にディスクに記録される場合がある。バックグランドフォーマットプロセスは、以下のステップを有する。欠陥の管理の初期化。データゾーンのデアイシング、これは、光ディスクのタイプに依存して任意である場合がある。リードイン及びリードアウトゾーンの終了化。早期のイジェクトによる終了（該当する場合）。早期にイジェクトされたディスクへのバックグランドフォーマットの再開。検証（ホストコンピュータにより任意に選択される）。
【００４０】
ステップ７１（FMT/DEL_CMD）では、format/deleteの全てのコマンドが受信される。ステップ７２（STORE）では、エラーセクタ情報又はエラーセクタ情報の回復を可能にする情報がメモリに記憶される。ステップ７３（FMT）では、フォーマットプロセスは、上述されたように行われる。ステップ７４（RECOV  ES.DAT）では、ディスクに記録されたエラーセクタ情報が取得される。本発明に係る光記録装置は、光ディスクがフォーマットされるか又は全ての記録が削除されたとしても、エラーセクタ情報（たとえば“VIDEO_ES.DAT”ファイル）を削除しない。
【００４１】
リアルタイム記録の間、ディスクの記録されない部分への記録の場合、光記録装置は、潜在的なディスクの「エラーセクタ」に関して「気付いて」おらず、すなわち、光記録装置は、ディスクの特定の領域がエラーを作り出しているか、その特定の領域への記録によりエラーが生じているかを知らない。結果的に、光記録装置が欠陥を有する係る領域に情報を記録しようとしたとき、「警告／エラーコード」がリターンされる。公知の光記録装置は、以下のアクションのうちの１つを行うことで係る「警告／エラーコード」を扱う。記録の継続（エラーを無視。これにより再生の間にオーディオ−ビデオの一時的な中断が生じる）。リトライして「エラーセクタ」への情報の記録。リトライして「エラーセクタ」をスキップすることで後続するセクタへの情報の記録。
【００４２】
上述されたエラーセクタ情報を使用して、図５を参照して記載された光ディスクにビデオ情報を記録する方法を「擬似アーカイブ“pseudo  archiving”」と組み合わせることにより、リアルタイムの信頼性を保証することができる。以下では、本発明の別の実施の形態に係る、光ディスクをフォーマット化及び記録する方法が記載される。
【００４３】
光ディスクが光記録装置に挿入されたとき、第一のステップはディスク認識ステップである。本発明によれば、ディスク認識ステップの一部として、光記録装置は、レコーダブルディスクの可能な記録速度（すなわち2.4×，4×，8×）についてディスクをチェックする。また、光記録装置は、光ドライブの最大の記録速度の能力を認識する。
【００４４】
記録ステップでは、本発明に係るリアルタイム記録のコマンドをユーザが送出したとき、光記録装置は、最大の可能なディスク速度（たとえば8×）で、ダミー情報（たとえばゼロ又は他の自由の選択された情報で満たされたＥＣＣブロック）を記録することで、「擬似アーカイブ」サブステップを実行する。このサブステップの間、エラーセクタ情報は、記録の方法のステップ５３及び５４で記載されたように収集される（収集される必要がある場合）。任意に、この「擬似アーカイブ」動作は、たとえば任意の誤ったセクタをスキップするためにバッファセルを導入することで、リアルタイムで記録するＡＶバッファを構成するために使用される。リアルタイムＡＶバッファの内容は、駆動速度を変えることでダミー情報にわたり2.4×で上書きされる。したがって、「擬似アーカイブ」は、リアルタイム情報（たとえばＡＶコンテンツ）を記録するサブステップと混合される。本発明のこの実施の形態に係るリアルタイム記録は、２つの交互するサブステッププロセス、すなわち高速の記録速度、好ましくは最大の許容される記録速度での擬似アーカイブ、及び駆動エンジン速度を動的に変えることによる2.4×での情報のリアルタイム記録というシーケンスで実行される。
【００４５】
特定の実施の形態では、擬似アーカイブは、利用可能なハードウェアメモリに基づいたシステム構成可能な値である、ＥＣＣブロック（たとえば１６のゼロが満たされたＥＣＣブロック）のグループのステップで書き込まれたダミーデータを記録するステップを有する。
【００４６】
ユーザからの停止記録コマンドの一部として、エラーセクタ情報は、ディスクのＶＲＭユーザデータ領域に記憶される。
【００４７】
本発明の実施の形態では、ユーザは、光記録装置の挙動を設定する場合があり、すなわち、ユーザは、ディスクの既存／記録されたエラーセクタ情報を使用することを含めて、上述された（擬似アーカイブ及びリアルタイム記録）２つのサブステッププロセスが起動される信頼できるリアルタイム記録モード、又は正規の記録モードの間で選択する場合がある。
【００４８】
信頼できるモードの２ステッププロセスの選択についてユーザの確認の受信に応じて、係る信頼できる記録モードを実現するために利用可能な幾つかのオプションが存在する。
【００４９】
オプション１：光ディスク全体は、記録されていない領域における誤りのあるデータ領域についてスキャンされ、終了後に、光記録装置は、リアルタイム記録プロセスを実行する準備がされる。係るオプションでは、２つのサブステップが時間的に分離される。  
オプション２：光記録装置は、光ディスクの一部をチェック／スキャンする。たとえば、光記録装置は、使用のためにディスクスペースバー（０〜１００％のスケールで示すリニアバー）を表示するために適合され、ユーザは、このバー上で開始及び終了ポイントを設定し、終了に応じて、光記録装置は、リアルタイム記録プロセスを開始する場合がある。  
オプション３：光記録装置は、２つのサブステップ記録プロセスをリアルタイムで実行する。
【００５０】
光ディスクがデアイシングされたときは何時でも、又は空の光ディスクへの第一の記録が開始されたときは何時でも、光記録装置は、上述されたように“VRM  User  Data”領域に“VIDEO_ES.DAT”ファイルを形成する。記録の進展の間、“VIDEO_ES.DAT”は、５秒毎に更新され、エラーセクタに遭遇したとき、又は記録停止がユーザにより発動されたとき、VIDEO_ES.DATファイルが１ショットで更新される。
【００５１】
図２を参照して記載される光記録装置における上述された記録及びフォーマット方法の実現に関して、公知の光記録装置における制御ユニット１７は、物理セクタに記録する間にエラーに遭遇したかを判定し、係るエラーに対処することができる。本発明に係る光記録装置は、記録の間にエラーに遭遇した物理セクタに対応する論理セクタのリストを含むエラーセクタ情報を生成し、エラーセクタ情報を制御ユニット１７に供給する手段２９を更に有する。制御手段は、記録手段を制御して、エラーセクタ情報を光ディスクに記録する。光記録装置の代替的な実施の形態では、エラーセクタ情報を生成する手段２９は、たとえば適切にプログラムされたファームウェアにより制御ユニット１７に統合される場合がある。
【００５２】
先に記載された方法の再生装置における実現に関して、好ましくは、制御ユニット１７は、エラーがエラーセクタ情報において参照される論理セクタ又は論理セクタのグループが、再生において、そこに記録されている情報が現在再生されている論理セクタに近接しているかを判定する。本装置は、記録の間にエラーに遭遇したセクタ又はセクタのグループに続くセクタに記録される情報に再生をジャンプすることを決定する手段２９を更に有する。前記手段２９ａは、たとえば適切にプログラムされたファームウェアにより、制御回路１７に統合される場合がある。
【００５３】
開示は、以下のように要約される。本発明は、書換え可能なタイプの光ディスクにビデオ情報を記録する方法に関する。本発明は、物理セクタを記録する間にエラーに遭遇したかをリアルタイムで判定すること、記録の間にエラーに遭遇したセクタのリストを含むエラーセクタ情報を生成することに関する。エラーセクタ情報は、ディスク、好ましくは標準のプレーヤとの再生の互換性に対するＶＲＭＩのユーザデータに記録される。再生の間、エラーセクタは、読取りからスキップされる。有利なことに、エラーセクタに記録される情報についてバッファセルが形成され、シームレスな再生が可能となる。有利なことに、ディスクをフォーマットするとき、エラーセクタ情報が削除されない。有利なことに、エラーセクタ情報は、ディスクの品質をユーザに通知するために使用される。
【００５４】
上述された実施の形態は、本発明を制限するのではなく例示するものである。当業者であれば、特許請求の範囲から逸脱することなしに多くの代替的な実施の形態を設計することができる。請求項では、括弧間に配置される参照符号は、請求項を限定するものとして解釈されるべきではない。動詞「有する“comprise”」及び「含む“include”」並びにその派生は、請求項で述べたエレメント又はステップ以外のエレメント又はステップの存在を排除するものではない。エレメントに先行する冠詞“ａ”又は“ａｎ”は、複数の係るエレメントの存在を排除するものではない。本発明は、幾つかの個別のエレメントを含むハードウェアにより、適切にプログラムされたコンピュータにより実現される。コンピュータプログラムは、光ストレージのような適切なメディアに記憶／分散されるか、ハードウェアパーツにより互いに供給されるが、インターネット又は有線又は無線の電気通信システムを介して流通されるような、他の形式で流通される場合がある。幾つかの手段を列挙しているシステム／デバイス／装置の請求項では、これらの手段の幾つかは、同一アイテムのハードウェア又はソフトウェアにより実施される場合がある。所定の手段が相互に異なる請求項で引用される事実は、これらの手段の組み合わせを使用することができないことを示すものではない。
【図１】
2010514086.tif 000003
【図２】
2010514086.tif 000004
【図３】
2010514086.tif 000005
【図４】
2010514086.tif 000006
【図５】
2010514086.tif 000007
【図６】
2010514086.tif 000008
【図７】
2010514086.tif 000009
【手続補正書】
【提出日】平成21年6月24日(2009.6.24)
【手続補正１】
【補正対象書類名】特許請求の範囲
【補正対象項目名】全文
【補正方法】変更
【補正の内容】
【特許請求の範囲】
【請求項１】
書換え可能型の光ディスクにビデオ情報を記録する方法であって、
前記ビデオ情報は、前記光ディスクの記録可能な領域に光学的に検出可能なマークとして記録され、
前記記録可能な領域は、個々にアドレス可能な物理セクタに分割され、
前記物理セクタは、論理的な記録スペースにおける論理セクタにマッピングされ、
前記論理記録スペースは、ある記録フォーマットに従って構成され、
前記光ディスクの前記論理的な記録スペースは、前記ビデオ情報を記録し、対応する管理情報を記録するビデオゾーンを有し、前記ビデオゾーンにおける情報は、ビデオ記録フォーマットに従って記録され、
当該方法は、
前記ビデオ信号をリアルタイムで受信及び記録するステップと、前記ビデオ情報は、隣接して記録されたセルの系列を含むビデオオブジェクトとして記録され、
物理セクタを記録する間にエラーに遭遇したかを判定するステップと、
記録の間にエラーに遭遇した物理セクタに対応する論理セクタからなるリストを含むエラーセクタ情報を生成するステップと、
前記エラーセクタ情報を前記光ディスクに記録するステップとを含み、
前記エラーセクタ情報は、一時的な情報を記録するか、又は、ビデオレコーダマネージャユーザデータのような機能を改善する任意の情報を記録するために予約される予め決定された領域に記録される、
ことを特徴とする方法。
【請求項２】
当該方法は、記録の間にエラーに遭遇した物理セクタに記録されるビデオ情報を含む更なるセルを生成するステップを更に含む、
請求項１記載の方法。
【請求項３】
前記更なるセルは、前記管理情報に含まれる再生系列により参照されないバッファセルである、
請求項２記載の方法。
【請求項４】
前記エラーセクタ情報は、前記光ディスクの全体のセクタ数に対する、記録の間にエラーにエラーに遭遇した物理セクタに対応する論理セクタのパーセンテージのような、記録の間にエラーに遭遇した物理セクタに対応する論理セクタに関する統計情報を更に含む、
請求項１又は２記載の方法。
【請求項５】
前記受信されたビデオ情報を記録する前に擬似アーカイブを実行するステップを更に含み、
前記擬似アーカイブステップは、
前記光ディスクにダミー情報を記録するステップと、
ダミー情報で物理セクタを記録する間にエラーに遭遇したかを判定するステップと、
記録の間にエラーに遭遇した物理セクタに対応する論理セクタからなるリストを含むエラーセクタ情報を生成するステップと、
を含む請求項１記載の方法。
【請求項６】
前記ビデオ情報は、請求項１乃至５の何れか記載の方法に従って光ディスクに記録されるビデオ情報を再生する方法であって、
エラーがエラーセクタ情報で参照される論理セクタ又は論理セクタのグループが、再生において、論理セクタに記録されている情報が現在再生されている論理セクタに近接しているかを判定するステップと、
記録の間にエラーに遭遇したセクタ又はセクタのグループに続くセクタに記録される情報に再生をジャンプするステップと、
を含むことを特徴とする方法。
【請求項７】
請求項１乃至５の何れか記載の方法に従って記録されたビデオ情報を含む書換え可能型の光ディスクをフォーマットする方法であって、
前記エラーセクタ情報を読み取り、前記エラーセクタ情報をテンポラリバッファに記憶するステップと、
前記光ディスクをフォーマットするステップと、
前記エラーセクタ情報を記録するステップと、
を含むことを特徴とする方法。
【請求項８】
書換え可能型の光ディスクにビデオ情報を記録する光記録装置であって、
前記ビデオ情報を受信する入力手段と、
前記光ディスクの記録可能な領域に光学的に検出可能なマークとして記録されるビデオ情報を記録する記録手段と、前記記録領域は、個々にアドレス可能な物理セクタに分割され、前記物理セクタは、対応する論理的な記録スペースにおける論理セクタにマッピングされ、前記光ディスクの論理的な記録スペースは、前記ビデオ情報を記録し、対応する管理情報を記録するビデオゾーンを含み、
前記記録手段を制御して、隣接して記録されるセルの系列を含むビデオオブジェクトとして前記ビデオ情報を記録する制御手段であって、前記論理的な記録スペースにおける情報がある記録フォーマットに従って記録されるように前記記録手段を制御し、物理セクタを記録する間にエラーに遭遇したかを判定する制御手段と、
記録の間にエラーに遭遇した物理セクタに対応する論理セクタからなるリストを含むエラーセクタ情報を生成する手段とを有し、
前記制御手段は、前記記録手段を制御して、前記光ディスクに前記エラーセクタ情報を記録し、
前記制御手段は、前記記録手段を制御して、一時的な情報を記録するため、又は、ビデオレコーダマネージャ
ユーザデータのような機能を改善する任意の情報を記録するために予約された予め決定された領域に記録されるエラーセクタ情報を記録する、
ことを特徴とする光記録装置。
【請求項９】
前記制御手段は、記録の間にエラーに遭遇した物理セクタに記録されるビデオ情報を含む更なるセルを発生する、
請求項８記載の光記録装置。
【請求項１０】
前記更なるセルは、前記管理情報に含まれる再生系列により参照されないバッファセルである、
請求項９記載の光記録装置。
【請求項１１】
前記制御手段は、前記光ディスク上の全体のセクタ数に対する、記録の間にエラーに遭遇した物理セクタに対応する論理セクタのパーセンテージのような、記録の間にエラーに遭遇した物理セクタに対応する論理セクタに関する統計情報を含む前記エラーセクタ情報を生成する、
請求項９又は１０記載の光記録装置。
【請求項１２】
前記制御手段は、読取手段を制御して前記エラーセクタ情報を読み取り、前記記録手段を制御して前記書換え可能型の光ディスクをフォーマットして、フォーマットの後に前記エラーセクタ情報を記録する、
請求項９又は１０記載の光記録装置。
【請求項１３】
前記制御手段は、前記受信されたビデオ情報を記録する前に、擬似アーカイブステップを実行するように当該光記録装置を制御し、
前記擬似アーカイブステップは、
前記光ディスクにダミー情報を記録するステップと、
ダミー情報で物理セクタを記録する間にエラーに遭遇したかを判定するステップと、
記録の間にエラーに遭遇した物理セクタに対応する論理セクタからなるリストを含むエラーセクタ情報を生成するステップと、
を含む請求項９記載の光記録装置。
【請求項１４】
請求項１乃至５の何れか記載の方法に従って光ディスクに記録されているビデオ情報を再生する光再生装置であって、
エラーがエラーセクタ情報で参照される論理セクタ又は論理セクタのグループが、再生において、論理セクタに記録されている情報が現在再生されている論理セクタに近接しているかを判定する制御ユニットと、
記録の間にエラーに遭遇したセクタ又はセクタのグループに続くセクタに記録される情報に再生をジャンプする手段と、
を有することを特徴とする光再生装置。
【請求項１５】
適切なプロセッサで実行されたとき、記録及び／又は再生装置に、請求項１乃至５の何れか記載の記録方法の全てのステップを実行させ、及び／又は請求項６記載の再生方法の全てのステップを実行させる手段を含むコンピュータソフトウェアプログラム。
【国際調査報告】
2010514086.tif 000010
2010514086.tif 000011
2010514086.tif 000012
2010514086.tif 000013
2010514086.tif 000014
2010514086.tif 000015